(57)【要約】【構成】第１入力端子Ｔ２は商用交流電源２８と電気的に接続され、第１出力端子Ｔ３はバッテリＢＴ１と電気的に接続される。また、第２入力端子Ｔ１１はバッテリＢＴ１と電気的に接続され、第２出力端子Ｔ１２は照明３２と電気的に接続される。さらに、第３入力端子Ｔ４はバッテリＢＴ１と電気的に接続され、第３出力端子Ｔ６は照明３２と電気的に接続される。ここで、鉄片１２ｍ１は、商用交流電源２８に基づいて第１入力端子Ｔ２と第１出力端子Ｔ３との接続を確立する。また、鉄片１４ｍ２は、照明スイッチＳＷ１の操作態様に応じて第２入力端子Ｔ１１と第２出力端子Ｔ１２と接続を確立する。さらに、鉄片１２ｍ２は、商用交流電源２８の停止により第３入力端子Ｔ４と第３出力端子Ｔ６との接続を確立する。【効果】回路規模を抑えつつ、非常時に照明を継続的に点灯させることができる。【選択図】図１
2019186203.tif 000002
【特許請求の範囲】
【請求項１】
商用交流電源と電気的に接続される第１入力端子、
バッテリと電気的に接続される第１出力端子、
前記バッテリと電気的に接続される第２入力端子、
照明と電気的に接続される第２出力端子、
前記バッテリと電気的に接続される第３入力端子、
前記照明と電気的に接続される第３出力端子、
前記商用交流電源に基づいて前記第１入力端子と前記第１出力端子との接続を確立する第１確立手段、
照明スイッチの操作態様に応じて前記第２入力端子と前記第２出力端子と接続を確立する第２確立手段、および
前記商用交流電源の停止により前記第３入力端子と前記第３出力端子との接続を確立する第３確立手段を備える、照明制御装置。
【請求項２】
テストスイッチの操作態様に応じて前記第３入力端子と前記第３出力端子との接続を解除する解除スイッチをさらに備える、請求項１記載の照明制御装置。
【請求項３】
前記第２確立手段および前記第３確立手段は第１電磁石および第２電磁石をそれぞれ含み、
前記第１電磁石および前記第２電磁石の各々を構成するコイルの一方端子および他方端子は前記商用交流電源に基づく直流電源の一方出力端子および他方出力端子と電気的にそれぞれ接続され、
前記照明スイッチは前記第１電磁石を構成するコイルの一方端子と前記直流電源の一方出力端子との間に設けられ、
前記解除スイッチは前記第１電磁石および前記第２電磁石の各々を構成するコイルの他方端子と前記直流電源の他方出力端子との間に設けられる、請求項２記載の照明制御装置。
【請求項４】
前記第１確立手段および前記第３確立手段は共通のリレースイッチを構成し、前記商用交流電源の稼働／停止に対して相補的に確立動作を行う、請求項１ないし３のいずれかに記載の照明制御装置。
【請求項５】
前記照明スイッチは前記照明が設置される施設の壁に設けられたスイッチである、請求項１ないし４のいずれかに記載の照明制御装置。
【請求項６】
前記バッテリの充電中に点灯する発光ダイオードをさらに備える、請求項１ないし５のいずれかに記載の照明制御装置。
【請求項７】
単相２線式の配電線からの配電電力に基づいて駆動される照明を、照明スイッチの操作状態に応じて点灯／消灯する照明制御装置であって、
前記配電電力に基づいてバッテリを充電する充電手段、および
前記配電電力の供給が停止されたとき、前記バッテリの電力に基づいて前記照明を駆動する駆動手段を備える、照明制御装置。
【請求項８】
前記配電電力に基づく直流電力を取り込む取込み手段、および
前記直流電力を前記照明スイッチの操作状態に応じて前記照明に供給する供給手段をさらに備え、
前記充電手段は、前記照明スイッチの操作状態に関係なく、前記直流電力に基づいて前記バッテリを充電する、請求項７に記載の照明制御装置。
【発明の詳細な説明】
【技術分野】
【０００１】
この発明は、照明制御装置に関し、特に、商用交流電源に基づいて駆動される照明を照明スイッチの操作に応答して点灯／消灯する、照明制御装置に関する。
【背景技術】
【０００２】
この種の装置の一例が、特許文献１に開示されている。この文献によれば、非常灯器具は、非常用点灯ユニットと、常用点灯ユニットと、ランプとを備える。非常用電灯ユニットに設けられたリレーは、常用時にランプを常用点灯ユニットに接続する一方、非常時にランプを絶縁型昇圧回路（非常点灯回路）に接続する。この結果、ランプは、常用時および非常時のいずれにおいても点灯される。
【先行技術文献】
【特許文献】
【０００３】
【特許文献１】特開２０１５−１００１６０号公報
【発明の概要】
【発明が解決しようとする課題】
【０００４】
しかし、特許文献１の技術では、常用点灯ユニットとは別に非常用点灯ユニットを設ける必要があるため、回路規模が増大するという問題がある。
【０００５】
また、現役の建物の中には、昭和の時代に普及していた単相2線式の配線の建物も多い。このような建物に非常灯を後付けしようとしても、非常灯の多くは、現在主流の単相3線式にしか対応していない。この結果、現実的には、昭和の時代の建物に非常灯を後付けすることは困難である。さらに、近頃は、電灯等から発生するノイズが原因で、例えば医療の現場において医療機器が誤動作するという問題も起きている。特に、電線を通じて伝わる伝達ノイズを低減するためには、単相3線式の屋内配線が普及してしまっている以上、機器への線数を減らす以外に手段はない。
【０００６】
それゆえに、この発明の主たる目的は、回路規模を抑えつつ、非常時に照明を継続的に点灯させることができる、照明制御装置を提供することである。
【０００７】
この発明の他の目的は、日常的に使用する照明を非常時にも点灯させることができる、照明制御装置を提供することである。
【課題を解決するための手段】
【０００８】
この発明に係る照明制御装置(10：実施例で相当する参照符号。以下同じ)は、商用交流電源(28)と電気的に接続される第１入力端子(T2)、バッテリ(BT1)と電気的に接続される第１出力端子(T3)、バッテリと電気的に接続される第２入力端子(T11)、照明(32)と電気的に接続される第２出力端子(T12)、バッテリと電気的に接続される第３入力端子(T4)、照明と電気的に接続される第３出力端子(T6)、商用交流電源に基づいて第１入力端子と第１出力端子との接続を確立する第１確立手段(12m1, 12f)、照明スイッチ(SW1)の操作態様に応じて第２入力端子と第２出力端子と接続を確立する第２確立手段(14m2, 14f)、および商用交流電源の停止により第３入力端子と第３出力端子との接続を確立する第３確立手段(12m2, 12f)を備える。
【０００９】
好ましくは、テストスイッチの操作態様に応じて第３入力端子と第３出力端子との接続を解除する解除スイッチ(SW2)がさらに備えられる。
【００１０】
さらに好ましくは、第２確立手段および第３確立手段は第１電磁石(14f)および第２電磁石(12f)をそれぞれ含み、第１電磁石および第２電磁石の各々を構成するコイルの一方端子および他方端子は商用交流電源に基づく直流電源(30)の一方出力端子および他方出力端子と電気的にそれぞれ接続され、照明スイッチは第１電磁石を構成するコイルの一方端子と直流電源の一方出力端子との間に設けられ、解除スイッチは第１電磁石および第２電磁石の各々を構成するコイルの他方端子と直流電源の他方出力端子との間に設けられる。
【００１１】
好ましくは、第１確立手段および第３確立手段は共通のリレースイッチ(12)を構成し、商用交流電源の稼働／停止に対して相補的に確立動作を行う。
【００１２】
好ましくは、照明スイッチは照明が設置される施設の壁に設けられたスイッチである。
【００１３】
好ましくは、バッテリの充電中に点灯する発光ダイオード(L1)がさらに備えられる。
【００１４】
この発明に係る照明制御装置(10)は、単相２線式の配電線(DL1)からの配電電力に基づいて駆動される照明(32)を、照明スイッチ(SW1)の操作状態に応じて点灯／消灯する照明制御装置であって、配電電力に基づいてバッテリ(BT1)を充電する充電手段(T2, T3, 12m1, 12f)、および配電電力の供給が停止されたとき、バッテリの電力に基づいて照明を駆動する駆動手段(T4, T6, 12m2, 12f)を備える。
【００１５】
好ましくは、配電電力に基づく直流電圧を取り込む取込み手段(16)、および直流電圧を照明スイッチの操作状態に応じて照明に供給する供給手段(T11, T12, 14m2, 14f)がさらに備えられ、充電手段は、照明スイッチの操作状態に関係なく、直流電圧に基づいてバッテリを充電する。
【発明の効果】
【００１６】
商用交流電源が稼働している状態では、第１入力端子と第１出力端子との接続が確立され、商用交流電源によってバッテリが充電される。照明スイッチの操作によって第２入力端子と第２出力端子との接続が確立されると、商用交流電源によって照明が点灯される。商用交流電源が停止すると、第３入力端子と第３出力端子との接続が確立され、バッテリによって照明が点灯される。
【００１７】
このように、商用交流電源が稼働している通常時における照明の点灯／消灯と、商用交流電源が停止している非常時における照明の点灯とは、互いに対をなす入力端子および出力端子の接続／非接続を制御することで実現される。これによって、回路規模を抑えつつ、非常時に照明を継続的に点灯させることができる。
【００１８】
また、単相２線式の配電線から配電電力が供給されている間は、当該配電電力に基づいて照明が駆動されるとともに、バッテリが充電される。配電電力の供給が停止されると、照明は、バッテリの電力に基づいて駆動される。この結果、単相２線式に対応しつつ、日常的に使用する照明を非常時にも点灯させることができる。
【００１９】
この発明の上述の目的，その他の目的，特徴および利点は、図面を参照して行う以下の実施例の詳細な説明から一層明らかとなろう。
【図面の簡単な説明】
【００２０】
【図１】この実施例の照明装置の構成を示す回路図である。
【図２】図１に示す照明装置の動作の一例を示す図解図である。
【図３】図１に示す照明装置の動作の他の一例を示す図解図である。
【図４】図１に示す照明装置の動作のその他の一例を示す図解図である。
【図５】図１に示す照明装置の動作のさらにその他の一例を示す図解図である。
【発明を実施するための形態】
【００２１】
図１を参照して、この実施例の照明制御装置１０は、リレースイッチ１２および１４を備える。リレースイッチ１２には、入力端子Ｔ１，Ｔ２，Ｔ４およびＴ５と、出力端子Ｔ３およびＴ６と、鉄片１２ｍ１および１２ｍ２と、電磁石１２ｆとが設けられる。また、リレースイッチ１４には、入力端子Ｔ７，Ｔ８，Ｔ１０およびＴ１１と、出力端子Ｔ９およびＴ１２と、鉄片１４ｍ１および１４ｍ２と、電磁石１４ｆとが設けられる。
【００２２】
以下では、入力端子Ｔ２を“第１入力端子”と定義し、出力端子Ｔ３を“第１出力端子”と定義し、入力端子Ｔ１１を“第２入力端子”と定義し、出力端子Ｔ１２を“第２出力端子”と定義し、入力端子Ｔ４を“第３入力端子”と定義し、出力端子Ｔ６を“第３出力端子”と定義する。
【００２３】
電磁石１２ｆを構成するコイルに電流が流れない状態では、鉄片１２ｍ１は第１出力端子Ｔ３を入力端子Ｔ１と接続し、鉄片１２ｍ２は第３出力端子Ｔ６を第３入力端子Ｔ４と接続する。電磁石１２ｆを構成するコイルに電流が流れると、鉄片１２ｍ１は第１出力端子Ｔ３を第１入力端子Ｔ２と接続し、鉄片１２ｍ２は第３出力端子Ｔ６を入力端子Ｔ５と接続する。
【００２４】
電磁石１４ｆを構成するコイルに電流が流れない状態では、鉄片１４ｍ１は出力端子Ｔ９を入力端子Ｔ７と接続し、鉄片１４ｍ２は第２出力端子Ｔ１２を入力端子Ｔ１０と接続する。電磁石１４ｆを構成するコイルに電流が流れると、鉄片１４ｍ１は出力端子Ｔ９を入力端子Ｔ８と接続し、鉄片１２ｍ２は第２出力端子Ｔ１２を第２入力端子Ｔ１１と接続する。
【００２５】
入力端子Ｔ１，第１入力端子Ｔ２，第１出力端子Ｔ３および鉄片１２ｍ１はスイッチＳＷ１１を構成し、第３入力端子Ｔ４，入力端子Ｔ５，第３出力端子Ｔ６および鉄片１２ｍ２はスイッチＳＷ１３を構成し、入力端子Ｔ１０，第２入力端子Ｔ１１，第２出力端子Ｔ１２および鉄片１４ｍ２はスイッチＳＷ１２を構成する。また、入力端子Ｔ１，Ｔ５，Ｔ７，Ｔ８，Ｔ１０および出力端子Ｔ９は、開放端とされる。
【００２６】
商用交流電源２８は、単相２線式の配電線ＤＬ１により交流電力を配電する電源であり、配電電力は、基準電位面と接続されたマイナス出力端子を有するＡＣ／ＤＣコンバータ（直流電源）３０によって、直流電力に変換される。第１入力端子Ｔ２は、コネクタ１６を介してＡＣ／ＤＣコンバータ３０のプラス出力端子と接続される。第１出力端子Ｔ３は、ダイオードＤ３のアノードと直接的に接続され、ダイオードＤ３のカソードは、第２入力端子Ｔ１１および第３入力端子Ｔ４の各々と直接的に接続される。第１出力端子Ｔ３はまた、抵抗器Ｒ１を介して発光ダイオードＬ１のアノードと接続される。
【００２７】
発光ダイオードＬ１のカソードは、コネクタ１６を介して基準電位面と接続され、コネクタ２６を介してバッテリＢＴ１のマイナス電極と接続される。ダイオードＤ３のカソードは、抵抗器Ｒ２の一方端子と接続され、抵抗器Ｒ２の他方端子は、抵抗器Ｒ３の一方端子およびダイオードＤ４のカソードの各々と接続される。抵抗器Ｒ３の他方端子およびダイオードＤ４のアノードの各々は、コネクタ２６を介してバッテリＢＴ１のプラス電極と接続される。
【００２８】
第２出力端子Ｔ１２および第３出力端子Ｔ６の各々は、抵抗器Ｒ４およびコネクタ２２を介して、照明３２を構成する発光ダイオードＬ１１，Ｌ２１，Ｌ３１，Ｌ４１，Ｌ５１およびＬ６１のアノードと接続される。また、発光ダイオードＬ１のカソードは、コネクタ２４を介して発光ダイオードＬ１３，Ｌ２３，Ｌ３３，Ｌ４３，Ｌ５３およびＬ６３のカソードと接続される。
【００２９】
発光ダイオードＬ１２のアノードは発光ダイオードＬ１１のカソードと接続され、発光ダイオードＬ１２のカソードは発光ダイオードＬ１３のアノードと接続される。発光ダイオードＬ２２のアノードは発光ダイオードＬ２１のカソードと接続され、発光ダイオードＬ２２のカソードは発光ダイオードＬ２３のアノードと接続される。
【００３０】
発光ダイオードＬ３２のアノードは発光ダイオードＬ３１のカソードと接続され、発光ダイオードＬ３２のカソードは発光ダイオードＬ３３のアノードと接続される。発光ダイオードＬ４２のアノードは発光ダイオードＬ４１のカソードと接続され、発光ダイオードＬ４２のカソードは発光ダイオードＬ４３のアノードと接続される。
【００３１】
発光ダイオードＬ５２のアノードは発光ダイオードＬ５１のカソードと接続され、発光ダイオードＬ５２のカソードは発光ダイオードＬ５３のアノードと接続される。発光ダイオードＬ６２のアノードは発光ダイオードＬ６１のカソードと接続され、発光ダイオードＬ６２のカソードは発光ダイオードＬ６３のアノードと接続される。
【００３２】
ＡＣ／ＤＣコンバータ３０のプラス出力端子は、コネクタ２０を介して、電磁石１２ｆを構成するコイルの一方端子と接続される。ＡＣ／ＤＣコンバータ３０のプラス出力端子はまた、照明スイッチＳＷ１およびコネクタ１８を介して、電磁石１４ｆを構成するコイルの一方端子と接続される。
【００３３】
電磁石１２ｆを構成するコイルの他方端子はダイオードＤ１のアノードと接続され、電磁石１４ｆを構成するコイルの他方端子はダイオードＤ２のアノードと接続される。ダイオードＤ１およびＤ２の各々のカソードは、解除スイッチＳＷ２およびコネクタ２０を介して、ＡＣ／ＤＣコンバータ３０のマイナス出力端子と接続される。
【００３４】
ここで、照明スイッチＳＷ１は、照明３２が設置される施設（例えば、病院）の壁に設けられたスイッチであり、施設の関係者によってオン／オフ操作される。一方、解除スイッチＳＷ２は、商用交流電源２８を疑似的に停止させるためのスイッチであり、施工業者によるテストスイッチ（図示せず）のオン／オフ操作に連動してオフ／オンされる。つまり、解除スイッチＳＷ２は、テストスイッチのオン操作に応答してオフされ、テストスイッチのオフ操作に応答してオンされる。
【００３５】
図２を参照して、照明スイッチＳＷ１がオフされかつ解除スイッチＳＷ２がオン（テストスイッチがオフ）されている状態では、電磁石１２ｆおよび１４ｆのうち電磁石１２ｆのみが磁化される。この結果、第１入力端子Ｔ２と第１出力端子Ｔ３とが鉄片１２ｍ１によって接続され、入力端子Ｔ１０と第２出力端子Ｔ１２とが鉄片１４ｍ２によって接続される。
【００３６】
ＡＣ／ＤＣコンバータ３０のプラス出力端子から出力された電流は、ダイオードＤ３，抵抗器Ｒ２およびＲ３を介してバッテリＢＴ１に供給され、その後に基準電位面に流れ込む。この結果、バッテリＢＴ１が充電される。ＡＣ／ＤＣコンバータ３０のプラス出力端子から出力された電流はまた、抵抗器Ｒ１を介して発光ダイオードＬ１に供給され、その後に基準電位面に流れ込む。バッテリＢＴ１が充電中であることは、発光ダイオードＬ１の点灯によって報知される。
【００３７】
この状態で照明スイッチＳＷ１がオンされると、電磁石１４ｆが磁化され、第２出力端子Ｔ１２の接続先が第２入力端子Ｔ１１に切り替えられる（図３参照）。ダイオードＤ３のカソードから出力された電流は、鉄片１４ｍ２，抵抗器Ｒ４およびコネクタ２２を経て照明３２に供給され、その後にコネクタ２４を経て基準電位面に流れ込む。この結果、照明３２が点灯する。
【００３８】
このように、商用交流電源２８が稼働している状態では、バッテリＢＴ１は、照明スイッチＳＷ１のオン／オフ操作に関係なく充電され、照明３２は、照明スイッチＳＷ１のオン／オフ操作に応じて点灯／消灯される。
【００３９】
図４を参照して、照明スイッチＳＷ１がオフされかつ解除スイッチＳＷ２がオフ（テストスイッチがオン）されている状態では、電磁石１２ｆおよび１４ｆのいずれも磁化されない。この結果、入力端子Ｔ１０および第２出力端子Ｔ１２が鉄片１４ｍ２によって接続され、第３入力端子Ｔ４および第３出力端子Ｔ６が鉄片１２ｍ２によって接続される。
【００４０】
バッテリＢＴ１は放電可能状態となり、バッテリＢＴ１から放電された電流は、ダイオードＤ４および抵抗器Ｒ２を経て鉄片１２ｍ２を流れ、抵抗器Ｒ４およびコネクタ２２を経て照明３２に供給される。照明３２を経た電流はその後、コネクタ２４を経てバッテリＢＴ１に戻る。この結果、照明３２が点灯する。
【００４１】
この状態で照明スイッチＳＷ１がオンされても、電磁石１４ｆが磁化されることはなく、第２出力端子Ｔ１２は継続的に入力端子Ｔ１０と接続される（図５参照）。照明３２は、鉄片１２ｍ２を流れた電流によって継続的に点灯する。
【００４２】
なお、バッテリＢＴ１から放電された電流の発光ダイオードＬ１への供給は、ダイオードＤ３によって阻止される。したがって、バッテリＢＴ１の放電中には、発光ダイオードＬ１は消灯する。
【００４３】
以上の説明から分かるように、第１入力端子Ｔ２は商用交流電源２８と電気的に接続され、第１出力端子Ｔ３はバッテリＢＴ１と電気的に接続される。また、第２入力端子Ｔ１１はバッテリＢＴ１と電気的に接続され、第２出力端子Ｔ１２は照明３２と電気的に接続される。さらに、第３入力端子Ｔ４はバッテリＢＴ１と電気的に接続され、第３出力端子Ｔ６は照明３２と電気的に接続される。
【００４４】
ここで、鉄片１２ｍ１は、商用交流電源２８に基づいて第１入力端子Ｔ２と第１出力端子Ｔ３との接続を確立する。また、鉄片１４ｍ２は、照明スイッチＳＷ１の操作態様に応じて第２入力端子Ｔ１１と第２出力端子Ｔ１２と接続を確立する。さらに、鉄片１２ｍ２は、商用交流電源２８の停止により第３入力端子Ｔ４と第３出力端子Ｔ６との接続を確立する。
【００４５】
特に、電磁石１４ｆおよび１２ｆは鉄片１４ｍ２および１２ｍ２をそれぞれ変位させるところ、電磁石１４ｆおよび１２ｆの各々を構成するコイルの一方端子および他方端子は、ＡＣ／ＤＣコンバータ３０のプラス出力端子およびマイナス出力端子と電気的にそれぞれ接続される。ただし、電磁石１４ｆを構成するコイルの一方端子とプラス出力端子との間には照明スイッチＳＷ１が設けられ、電磁石１４ｆおよび１２ｆの各々を構成するコイルの他方端子とマイナス出力端子との間には解除スイッチＳＷ２設けられる。
【００４６】
したがって、商用交流電源２８が稼働している状態では、第１入力端子Ｔ２と第１出力端子Ｔ３との接続が確立され、商用交流電源２８によってバッテリＢＴ１が充電される。照明スイッチＳＷ１の操作によって第２入力端子Ｔ１１と第２出力端子Ｔ１２との接続が確立されると、商用交流電源２８によって照明３２が点灯される。商用交流電源２８が停止すると、第３入力端子Ｔ４と第３出力端子Ｔ６との接続が確立され、バッテリＢＴ１によって照明３２が点灯される。
【００４７】
このように、商用交流電源２８が稼働している通常時における照明３２の点灯／消灯と、商用交流電源２８が停止している非常時における照明３２の点灯とは、互いに対をなす入力端子および出力端子の接続／非接続を制御することで実現される。これによって、回路規模を抑えつつ、非常時に照明３２を継続的に点灯させることができる。
【００４８】
また、鉄片１２ｍ１，１２ｍ２および電磁石１２ｆは共通のリレースイッチ１２を構成し、第１入力端子Ｔ２と第１出力端子Ｔ３との接続を確立する動作と、第３入力端子Ｔ４と第３出力端子Ｔ６との接続を確立する動作とは、商用交流電源２８の稼働／停止に対して相補的に実行される。これによって、回路規模のさらなる抑制が図られる。
【００４９】
この実施例の照明制御装置１０を別の視点から眺めると、照明３２は、単相２線式の配電線ＤＬ１からの配電電力に基づいて駆動され、照明スイッチＳＷ１の操作状態に応じて点灯／消灯される。また、バッテリＢＴ１は、リレースイッチ１２を構成する第１入力端子Ｔ２と第１出力端子Ｔ３とが鉄片１２ｍ１により接続されることで、当該配電電力に基づいて充電される。さらに、配電電力の供給が停止されると、第３入力端子Ｔ４と第３出力端子Ｔ６とが鉄片１２ｍ２により接続され、バッテリＢＴ１に基づいて照明３２が駆動される。
【００５０】
即ち、この実施例によれば、単相２線式の配電線ＤＬ１から配電電力が供給されている間は、当該配電電力に基づいて照明３２が駆動されるとともに、バッテリＢＴ１が充電される。配電電力の供給が停止されると、照明３２はバッテリＢＴ１の電力に基づいて駆動される。この結果、単相２線式に対応しつつ、日常的に使用する照明を非常時にも点灯させることができる。
【００５１】
また、配電電力に基づく直流電力は、コネクタ１６によって取り込まれる。第２入力端子Ｔ１１および第２出力端子Ｔ１２は、照明スイッチＳＷ１がオン状態のときに鉄片１４ｍ２により接続され、当該直流電力は、第２入力端子Ｔ１１および第２出力端子Ｔ１２を経て照明３２に供給される。ただし、バッテリＢＴ１は、照明スイッチＳＷ１のオン／オフに関係なく、当該直流電力に基づいてバッテリＢＴ１を充電する。これによって、配電電力が供給されている限り、バッテリＢＴ１を常に満充電状態とすることができる。
【００５２】
現役の建物の中には、昭和の時代に普及していた単相2線式の配線の建物も多いため、そのような建物に非常灯を後付けしようとしても、非常灯の多くは、現在主流の単相3線式にしか対応していない。この結果、現実的には、昭和の時代の建物に非常灯を後付けすることは困難である。さらに、近頃は、電灯等から発生するノイズが原因で、例えば医療の現場において医療機器が誤動作するという問題も起きている。特に、電線を通じて伝わる伝達ノイズを低減するためには、単相3線式の屋内配線が普及してしまっている以上、機器への線数を減らす以外に手段はない。
【００５３】
しかし、この実施例の照明制御装置１０では、単相２線式に対応するため、昭和の時代に普及していた単相2線式の配線の建物にも当該照明制御装置１０を後付けで設置することができる。また、電線を通じて伝わる伝達ノイズが原因で発生する例えば医療の現場における医療機器の誤動作の問題も、単相２線式に元々対応しているこの実施例の照明制御装置１０であれば、容易にクリアすることができる。
【００５４】
なお、上述の実施例では、無機発光ダイオードを発光させることを想定している。しかし、この発明の照明制御装置は、有機発光ダイオードの発光にも適用することができる。
【符号の説明】
【００５５】
１０  …照明制御装置
１２，１４  …リレースイッチ
１２ｍ１，１２ｍ２，１４ｍ１，１４ｍ２  …鉄片
１２ｆ，１４ｆ  …電磁石
２８  …商用交流電源
３０  …ＡＣ／ＤＣコンバータ
Ｔ１，Ｔ２，Ｔ４，Ｔ５，Ｔ７，Ｔ８，Ｔ１０，Ｔ１１  …入力端子
Ｔ３，Ｔ６，Ｔ９，Ｔ１２  …出力端子
ＢＴ１  …バッテリ
Ｌ１，Ｌ１１〜Ｌ６３  …発光ダイオード
ＳＷ１  …照明スイッチ
ＳＷ２  …解除スイッチ
【図１】
2019186203.tif 000003
【図２】
2019186203.tif 000004
【図３】
2019186203.tif 000005
【図４】
2019186203.tif 000006
【図５】
2019186203.tif 000007